(57)【特許請求の範囲】
【請求項１】
簡易建造物を構築する骨材としての角材による軸組みにおける組手部分となる連結部において三本の前記角材を連結する外側連結部材と内側連結部材とから成る角材用連結金具であって、
前記角材のうち第１の角材は前記連結部を貫通し、第２及び第３の角材はそれぞれ端部を前記連結部において前記第１の角材に連結する形態の前記連結部において、
前記外側連結部材は、
前記第１、第２及び第３の角材の外側に添い付け、前記第１、第２及び第３の角材の外側面にネジ部材を介して係止するための少なくとも三個のネジ部材挿通孔を有する外本体部と、
該外本体部の一方の端部両側からほぼ直角に延出し、前記第２の角材の外面側から両側面に回り込み前記内側連結部材と協働して前記第２の角材を前記連結部に固定保持する第１の外側結合部と、
前記外本体部の他方の端部両側からほぼ直角に延出し、前記第３の角材の外面側から両側面に回り込み前記内側連結部材と協働して前記第３の角材を前記連結部に固定保持する第２の外側結合部と、
を有し、
前記内側連結部材は、
前記第２及び第３の角材の内側に添い付け、前記第２及び第３の角材の内側面にネジ部材を介して係止するための少なくとも二個のネジ部材挿通孔を有する内本体部と、
該内本体部の一方の端部両側からほぼ直角に延出し、前記第２の角材の外面側から両側面に回り込み、前記外側連結部材の前記第１の外側結合部と結合し、前記外側連結部材と協働して前記第２の角材を前記連結部に固定保持する第１の内側結合部と、
前記内本体部の他方の端部両側からほぼ直角に延出し、前記第３の角材の外面側から両側面に回り込み、前記外側連結部材の第２の外側結合部と結合し、前記外側連結部材と協働して前記第３の角材を前記連結部に固定保持する第２の内側結合部と、
を有する、
ことを特徴とする角材用連結金具。
【請求項２】
前記外本体部は山折りの二面を形成する鉛直板部と水平板部と該水平板部に続く外傾斜板部からなり、前記内本体部は谷折りの鉛直板部と上向き傾斜板部からなり、前記第１の角材は軒桁であり、前記第２の角材は隅柱又は中柱であり、前記第３の角材は小屋梁である、ことを特徴とする請求項１記載の角材用連結金具。
【請求項３】
前記外本体部は直角山折りの二面の板部からなり、前記内本体部は直角谷折りの二面の板部からなり、前記第１の角材は隅柱又は胴差し梁であり、前記第２の角材は胴差し梁又は桁であり、前記第３の角材は胴差し桁又は管柱である、ことを特徴とする請求項１記載の角材用連結金具。
【請求項４】
前記外本体部は山折りの二面を形成する鉛直板部と水平板部と該水平板部に続く内傾斜板部からなり、前記内本体部は谷折りの鉛直板部と下向き傾斜板部からなり、前記第１の角材は四本の隅柱のうち丈長の２本の隅柱に渡される軒桁であり、前記第２の角材は前記丈長の隅柱であり、前記第３の角材は小屋梁である、ことを特徴とする請求項１記載の角材用連結金具。
【請求項５】
前記角材を金属製角パイプで代替した、ことを特徴とする請求項１、２、３又は４記載の角材用連結金具。
【請求項６】
簡易建造物を構築する骨材としての角材による軸組みにおける組手部分となる連結部において四本の前記角材を連結する平形連結部材と立形連結部材とから成る角材用連結金具であって、
前記角材のうち第１の角材は前記連結部を貫通し、第２、第３及び第４の角材はそれぞれ端部を、前記連結部において前記第１の角材の軸に対し直角な輻射状に連結する形態の前記連結部において、
前記平形連結部材は、
前記第１の角材の側面に沿い付ける角面部と、該角面部と一体に該角面部の一方の対向辺からそれぞれ延在する二面の横張出部と、を有し、該二面の横張出部の一方は前記第２の角材の側面に沿い付け他方は前記第３の角材の側面に沿い付けるように形成され、前記第１、第２及び第３の角材の添い付け部にネジ部材を介して係止するための少なくとも三個のネジ部材挿通孔を有する平形本体部と、
一方の前記横張出部の両側からほぼ直角に下に延出し、前記第２の角材の前記側面から他の二側面に回り込み前記立形連結部材と協働して前記第２の角材を前記連結部に固定保持する第１の平形側結合部と、
他方の前記横張出部の両側からほぼ直角に下に延出し、前記第３の角材の前記側面から他の二側面に回り込み前記立形連結部材と協働して前記第３の角材を前記連結部に固定保持する第２の平形側結合部と、
を有し、
前記立形連結部材は、
前記第１の角材の一側面と前記第４の角材の端面とに挟持される角面部と、
該角面部と一体に該角面部の一方の対向辺からそれぞれ延在する二面の横張出部と、
前記角面部と一体に該角面部の他方の対向辺からそれぞれほぼ直角に曲がって延在する二面の立形張出部と、
を有し、
二面の前記横張出部の一方は前記第２の角材の側面に添い付け、該第２の角材の前記側面にネジ部材を介して係止するための少なくとも１個のネジ部材挿通孔を有すると共に、両側からほぼ直角に延出し、前記第２の角材の前記側面から他の二側面に回り込み、前記平形連結部材の前記第１の平形側結合部と結合し、前記平形連結部材と協働して前記第２の角材を前記連結部に固定保持する第１の立形側結合部を有し、
二面の前記横張出部の他方は前記第３の角材の側面に添い付け、該第３の角材の前記側面にネジ部材を介して係止するための少なくとも１個のネジ部材挿通孔を有すると共に、両側からほぼ直角に延出し、前記第３の角材の前記側面から他の二側面に回り込み、前記平形連結部材の前記第２の平形側結合部と結合し、前記平形連結部材と協働して前記第３の角材を前記連結部に固定保持する第２の立形側結合部を有し、
二面の前記立形張出部は、それぞれ前記第４の角材の端部において対向する側面に添い付け、該側面にネジ部材を介して係止するための少なくとも一個のネジ部材挿通孔をそれぞれ有すると共に、両側からほぼ直角に延出する延出部を有し、該延出部はそれぞれ前記第４の角材の両側面にネジ部材を介して係止するための少なくとも一個のネジ部材挿通孔を有する、
ことを特徴とする角材用連結金具。
【請求項７】
前記平形連結部材の二面の横張出部はそれぞれ斜め下方に傾斜し、前記立形連結部材の二面の前記横張出部は斜め下方に傾斜すると共に二面の前記立形張出部は鉛直に延在し、前記第１の角材は大棟材であり、前記第２、第３の角材は小屋梁であり、前記第４の角材は管柱である、ことを特徴とする請求項６記載の角材用連結金具。
【請求項８】
前記平形連結部材の二面の横張出部はそれぞれ水平であり、前記立形連結部材の二面の前記横張出部はそれぞれ水平であり、前記第１の角材は間柱又は差し渡し一本梁であり、前記第２、第３の角材は胴差し桁又は桁であり、前記第４の角材は差し渡し一本梁又は管柱である、ことを特徴とする請求項６記載の角材用連結金具。
【請求項９】
前記角材を金属製角パイプで代替した、ことを特徴とする請求項６、７又は８記載の角材用連結金具。
【発明の詳細な説明】
【技術分野】
【０００１】
本発明は、角材で構成される簡易建造物の角材と角材を組手部分で連結する角材用連結金具に関する。
【背景技術】
【０００２】
従来、例えば、ビニールハウス、車庫、物置場、コンテナハウス、研究用ハウス、災害時の架設住宅等の簡易建造物は、鋼製パイプ材等を連結具で連結して骨組みを構築し、その構築した骨組みに板状部材または幕状部材を付設して外見を完成させている。
【０００３】
このような簡易建造物は、骨組み構築時の作業性、及び不使用となった分解時の作業性が容易であることが要求される。その場合の作業性の良否は、鋼製パイプ材等を連結する連結具の使い勝手の良し悪しで決まってくる。
【０００４】
尚、簡易建造物の骨組みの構築では、金属製の骨材ではパイプ材と限ることなく、アングル材や空洞角材等が使用される。また、木製の骨材では、丸太や角材が使用され、それらの材質や形状は様々である。
【０００５】
例えば、特許文献１に開示されている骨材連結金具は、棒状部材を挿入可能な複数個の同じ外形の装着部を設け、この装着部に複数本の棒状部材を挿入して連結し、骨組みを構築している。
【先行技術文献】
【特許文献】
【０００６】
【特許文献１】特開２００５−１５５２６３号公報
【発明の概要】
【発明が解決しようとする課題】
【０００７】
しかしながら、特許文献１の従来技術は、骨材連結金具で構造物を構築する際に、骨材である棒状部材と骨材連結金具の装着部とを結合させた後、止着ボルトと螺着ナットを溶接により固着している。このため、現場に溶接機を持ち込まなければならず、作業が煩雑になるという課題がある。
【０００８】
また、骨材と連結金具が溶接による固着であるの、構造物が不使用となったときの分解作業が容易でないという課題がある。
【０００９】
本発明は、上記従来の実状に鑑み、金属製、木製に限らず、角材（断面が長方形の角材も含む）を骨材とする簡易建造物を構築するに際し、骨組みと分解の両方ともに容易な角材用連結金具を提供することを目的とする。
【課題を解決するための手段】
【００１０】
上記の課題を解決するために、第１、第３又は第５の発明の角材用連結金具は、簡易建造物を構築する骨材としての角材による軸組みにおける組手部分となる連結部において三本の角材を連結する外側連結部材と内側連結部材とから成る角材用連結金具であって、角材のうち第１の角材は連結部を貫通し、第２及び第３の角材はそれぞれ端部を連結部において第１の角材に連結する形態の連結部において、外側連結部材は、第１、第２及び第３の角材の外側に添い付け、第１、第２及び第３の角材の外側面にネジ部材を介して係止するための少なくとも三個のネジ部材挿通孔を有する外本体部と、該外本体部の一方の端部両側からほぼ直角に延出し、第２の角材の外面側から両側面に回り込み内側連結部材と協働して第２の角材を連結部に固定保持する第１の外側結合部と、外本体部の他方の端部両側からほぼ直角に延出し、第３の角材の外面側から両側面に回り込み内側連結部材と協働して第３の角材を連結部に固定保持する第２の外側結合部と、を有し、内側連結部材は、第２及び第３の角材の内側に添い付け、第２及び第３の角材の内側面にネジ部材を介して係止するための少なくとも二個のネジ部材挿通孔を有する内本体部と、該内本体部の一方の端部両側からほぼ直角に延出し、第２の角材の外面側から両側面に回り込み、外側連結部材の第１の外側結合部と結合し、外側連結部材と協働して第２の角材を連結部に固定保持する第１の内側結合部と、内本体部の他方の端部両側からほぼ直角に延出し、第３の角材の外面側から両側面に回り込み、外側連結部材の第２の外側結合部と結合し、外側連結部材と協働して第３の角材を連結部に固定保持する第２の内側結合部と、を有する、ことを特徴とする。
【００１１】
また、上記の課題を解決するために、第２又は第４の発明の角材用連結金具は、簡易建造物を構築する骨材としての角材による軸組みにおける組手部分となる連結部において四本の角材を連結する平形連結部材と立形連結部材とから成る角材用連結金具であって、角材のうち第１の角材は連結部を貫通し、第２、第３及び第４の角材はそれぞれ端部を、連結部において第１の角材の軸に対し直角な輻射状に連結する形態の連結部において、平形連結部材は、第１の角材の側面に沿い付ける角面部と、該角面部と一体に該角面部の一方の対向辺からそれぞれ延在する二面の横張出部と、を有し、該二面の横張出部の一方は第２の角材の側面に沿い付け他方は第３の角材の側面に沿い付けるように形成され、第１、第２及び第３の角材の添い付け部にネジ部材を介して係止するための少なくとも三個のネジ部材挿通孔を有する平形本体部と、一方の横張出部の両側からほぼ直角に下に延出し、第２の角材の側面から他の二側面に回り込み立形連結部材と協働して第２の角材を連結部に固定保持する第１の平形側結合部と、他方の横張出部の両側からほぼ直角に下に延出し、第３の角材の側面から他の二側面に回り込み立形連結部材と協働して第３の角材を連結部に固定保持する第２の平形側結合部と、を有し、立形連結部材は、第１の角材の一側面と第４の角材の端面とに挟持される角面部と、該角面部と一体に該角面部の一方の対向辺からそれぞれ延在する二面の横張出部と、角面部と一体に該角面部の他方の対向辺からそれぞれほぼ直角に曲がって延在する二面の立形張出部と、を有し、二面の横張出部の一方は第２の角材の側面に添い付け、該第２の角材の側面にネジ部材を介して係止するための少なくとも１個のネジ部材挿通孔を有すると共に、両側からほぼ直角に延出し、第２の角材の側面から他の二側面に回り込み、平形連結部材の第１の平形側結合部と結合し、平形連結部材と協働して第２の角材を連結部に固定保持する第１の立形側結合部を有し、二面の横張出部の他方は第３の角材の側面に添い付け、該第３の角材の側面にネジ部材を介して係止するための少なくとも１個のネジ部材挿通孔を有すると共に、両側からほぼ直角に延出し、第３の角材の側面から他の二側面に回り込み、平形連結部材の第２の平形側結合部と結合し、平形連結部材と協働して第３の角材を連結部に固定保持する第２の立形側結合部を有し、二面の立形張出部は、それぞれ第４の角材の端部において対向する側面に添い付け、該側面にネジ部材を介して係止するための少なくとも一個のネジ部材挿通孔をそれぞれ有すると共に、両側からほぼ直角に延出する延出部を有し、該延出部はそれぞれ第４の角材の両側面にネジ部材を介して係止するための少なくとも一個のネジ部材挿通孔を有する、ことを特徴とする。
【発明の効果】
【００１２】
本発明の角材用連結金具によれば、角材を骨材とする簡易建造物を構築するに際し、連結部に単に合わせ置いた３本又は４本の角材を、簡単な構造の１対の角材用連結金具により連結部の上下または左右から挟みつけてネジ止めにより連結部に固定できるので、角材を連結部に挿入または連結部から抜脱する構造の場合のように角材の挿入部を角材用連結金具から離れた位置に持って行くときの軸組から受ける抵抗がなく、したがって、骨組みと分解の両方ともに作業が容易であるという効果を奏する。
【図面の簡単な説明】
【００１３】
【図１】本発明の実施例１〜４に係る角材用連結金具を用いて構築可能な簡易建造物の例を示す斜視図である。
【図２】(a),(b) は本発明の実施例１に係る角材用連結金具を示す図、(c) は角材用連結金具によって連結される三本の角材の組手部分となる連結部を示す斜視図、(d) は角材を金属製角パイプに代替した場合の例を示す図である。
【図３】(a),(b) は本発明の実施例２に係る角材用連結金具を示ス図、(c) は角材用連結金具によって連結される四本の角材の組手部分となる連結部を示す斜視図、(d) は角材を金属製角パイプに代替した場合の例を示す図である。
【図４】(a),(b) は本発明の実施例３に係る角材用連結金具を示す図、(c) は角材用連結金具によって連結される三本の角材の組手部分となる連結部を示す斜視図、(d) は角材を金属製角パイプに代替した場合の例を示す図である。
【図５】(a),(b) は本発明の実施例４に係る角材用連結金具を示ス図、(c) は角材用連結金具によって連結される四本の角材の組手部分となる連結部を示す斜視図、(d) は角材を金属製角パイプに代替した場合の例を示す図である。
【図６】本発明の実施例５に係る角材用連結金具を用いて構築可能な簡易建造物の例を示す斜視図である。
【図７】(a),(b) は本発明の実施例５に係る角材用連結金具を示す図、(c) は図６に示した破線丸ｅ１で示す組手部分となる連結部を示す斜視図、(d) は図６に示した破線丸ｅ２で示す組手部分となる連結部を示す斜視図、(e) は角材を金属製角パイプに代替した場合の例を示す図である。
【図８】本発明の実施例６に係る角材用連結金具の延出部と結合部の部分のみを取り出して示す斜視図である。
【発明を実施するための形態】
【００１４】
以下、本発明の実施の形態について、詳細に説明する。
図１は、本発明の実施例１〜４に係る角材用連結金具を用いて構築可能な簡易建造物の例を示す斜視図である。図１に示すように、簡易建造物１は、切妻造り風の構造であり、軸組みには、先ず通し柱の四本の隅柱２（２ａ、２ｂ、２ｃ、２ｄ）と、同じく通し柱の二本の間柱３（３ａ、３ｂ）が設けられている。
【００１５】
屋根は大棟４と、２本の軒桁５（５ａ、５ｂ）、大棟４と軒桁５をつなぐ六本の小屋梁６（６ａ、６ｂ、６ｃ、６ｄ、６ｅ、６ｆ）で形成されている。また、内部は吹き抜けで二階は無いが、上部構造を補強するために階上が在る場合と同様に、各隅柱２の間および隅柱２と間柱３との間に六本の胴差し７が設けられている。
【００１６】
胴差し７は、二本の隅柱２ａ及び２ｂをつなぐ妻側の梁及び他の二本の隅柱２ｃ及び２ｄをつなぐ妻側の梁である胴差し梁７ａ（７ａ−１、７ａ−２）と、四本の隅柱２と二本の間柱３をつなぐ四本の胴差し桁７ｂ（７ｂ−１、７ｂ−２、７ｂ−３、７ｂ−４）で形成されている。
【００１７】
また、胴差し７と同じ高さで、二本の間柱３をつなぐ差し渡し一本梁８が設けられ、胴差し梁７ａ−１と差し渡し一本梁８との間、及び差し渡し一本梁８と胴差し梁７ａ−２との間には、桁９（９ａ、９ｂ）が配置されている。そして、胴差し梁７ａ−１、７ａ−２及び差し渡し一本梁８と大棟４との間には、それぞれ管柱１０（１０ａ、１０ｂ、１０ｃ）が配置されている。
【００１８】
上記の軸組において、破線丸ａ（ａ１、ａ２、ａ３、ａ４、ａ５、ａ６）で示す組手部分の三本の角材（軒桁５ａ、隅柱２ａ、小屋梁６ａ）又は（軒桁５ａ、間柱３ａ、小屋梁６ｃ）又は（軒桁５ａ、隅柱２ｃ、小屋梁６ｅ）又は（軒桁５ｂ、隅柱２ｂ、小屋梁６ｂ）又は（軒桁５ｂ、間柱３ｂ、小屋梁６ｄ）又は（軒桁５ｂ、隅柱２ｄ、小屋梁６ｆ）の連結には後述する角材用連結金具１１が使用される。
【００１９】
また、破線丸ｂ（ｂ１、ｂ２、ｂ３）で示す組手部分の四本の角材（大棟４、小屋梁６ａ、小屋梁６ｂ、管柱１０ａ）又は（大棟４、小屋梁６ｃ、小屋梁６ｄ、管柱１０ｂ）又は（大棟４、小屋梁６ｅ、小屋梁６ｆ、管柱１０ｃ）の連結には後述する角材用連結金具１２が使用される。
【００２０】
また、破線丸ｃ（ｃ１、ｃ２、ｃ３、ｃ４）で示す組手部分の三本の角材（隅柱２ａ、胴差し梁７ａ−１、胴差し桁７ｂ−１）又は（隅柱２ｂ、胴差し梁７ａ−１、胴差し桁７ｂ−２）又は（隅柱２ｃ、胴差し梁７ａ−２、胴差し桁７ｂ−３）又は（隅柱２ｄ、胴差し梁７ａ−２、胴差し桁７ｂ−４）の連結と、同じく破線丸ｃ（ｃ５、ｃ６）で示す組手部分の三本の角材（胴差し梁７ａ−１、桁９ａ、管柱１０ａ）又は（胴差し梁７ａ−２、桁９ｂ、管柱１０ｃ）の連結には、後述する角材用連結金具１３が使用される。
【００２１】
また、破線丸ｄ（ｄ１、ｄ２）で示す組手部分の四本の角材（間柱３ａ、胴差し桁７ｂ−１、７ｂ−３、差し渡し一本梁８）又は（間柱３ｂ、胴差し桁７ｂ−２、７ｂ−４、差し渡し一本梁８）の連結と、同じく破線丸ｄ（ｄ３）で示す組手部分の四本の角材（差し渡し一本梁８、桁９ａ、９ｂ、管柱１０ｂ）の連結には、後述する角材用連結金具１４が使用される。
【実施例１】
【００２２】
図２(a),(b) は本発明の実施例１に係る角材用連結金具１１を示している。角材用連結金具１１は、同図(a) に示す外側連結部材１１ａと、同図(b) に示す内側連結部材１１ｂとが一対となって構成されている。
【００２３】
また同図(c) は、この角材用連結金具１１によって連結される三本の角材の組手部分となる連結部１５を示す斜視図であり、同図(d) は、角材を金属製角パイプに代替した場合の例を示す図であり、角材（又は金属製角パイプ）に対する角材用連結金具１２による連結状態を示している。尚、金属製角パイプについても比較し易いように角材と同一の番号を付与して示している。
【００２４】
以下、三本の角材については図２(c) を参照し、角材用連結金具１１の連結部１５への取付け状態については図２(d) を参照しながら、角材用連結金具１１について説明する。この角材用連結金具１１は、簡易建造物１において、軸組みにおける組手部分となる連結部１５において三本の角材を連結する角材用連結金具である。
【００２５】
三本の角材のうち第１の角材は軒桁５（５ａ又は５ｂ）であり、第２の角材は隅柱２（２ａ、２ｂ、２ｃ又は２ｄ）又は間柱３（３ａ又は３ｂ）であり、第３の角材は小屋梁６（６ａ、６ｂ、６ｃ、６ｄ、６ｅ又は６ｆ）である。この場合、第３の角材は、連結部からやや斜め上方に延び出している。尚、図２(c),(d) は図１の手前から軒桁５ａを見た場合、又は図１の向う側から軒桁５ｂを見た場合を示している。
【００２６】
また、第２の角材を隅柱２ｃとした場合、第１の角材の軒桁５ａを図のように妻側に伸ばして出すと、軒出しの切妻となり、第２及び第３の角材（隅柱２ｃ及び小屋梁６ｅ）の妻側面に合わせて図のＡ−Ａ´矢視断面で５ａｘ（第２の角材を隅柱２ｂとしたきは５ｂｘ）部分を切り落とすと、軒無しの切妻となる。
【００２７】
角材用連結金具１１の外側連結部材１１ａは、鉛直板部２３ａと、この鉛直板部２３ａから山折りに直角に曲がった水平板部２３ｂと、この水平板部２３ｂからやや斜め上方（水平板部２３ｂに対し外側）に曲がって延び出した外傾斜板部２３ｃとからなる外本体部２３を有している。
【００２８】
この外本体部２３は、連結部１５において、第１、第２及び第３の角材（軒桁５、隅柱２又は間柱３、小屋梁６）の外側面に沿い付けるように構成されている。すなわち、鉛直板部２３ａを隅柱２又は間柱３の外側面と軒桁５の外側横面に添い付け、水平板部２３ｂを軒桁５の上側面に添い付け、外傾斜板部２３ｃを小屋梁６の上側面に沿い付けている。
【００２９】
また、外本体部２３には、第１、第２及び第３の角材の外側面にネジ部材２１を介して係止するための少なくとも三個のネジ部材挿通孔２２を形成されている。尚、図２(a) では、鉛直板部２３ａに上下２個のネジ部材挿通孔２２が形成されているが、上のネジ部材挿通孔２２は無くてもよい。
【００３０】
この外側連結部材１１ａの外本体部２３には、一方の端部（図２(a) では鉛直板部２３ａの端部）の両側からほぼ直角に延出し、第２の角材（隅柱２又は間柱３）の外面側から両側面に回り込む延出部２４と、この延出部２４から直角に外側に曲って、内側連結部材１１ｂと協働して第２の角材を連結部１５に固定保持する第１の外側結合部２４ａ及び２４ｂが形成されている。
【００３１】
更に外側連結部材１１ａの外本体部２３には、他方の端部（図２(a) では外傾斜板部２３ｃ）の両側からほぼ直角に延出し、第３の角材（小屋梁６）の外面側から両側面に回り込む延出部２５と、この延出部２５から直角に外側に曲って、内側連結部材１１ｂと協働して第３の角材を連結部１５に固定保持する第２の外側結合部２５ａ及び２５ｂが形成されている。
【００３２】
他方、角材用連結金具１１の内側連結部材１１ｂは、谷折りの２面からなる鉛直板部２６ａと傾斜板部２６ｂとで形成された内本体部２６を有している。この内本体部２６は、第２及び第３の角材（隅柱２又は間柱３、小屋梁６）の内側に沿い付けるように構成されている。
【００３３】
すなわち、鉛直板部２６ａを隅柱２又は間柱３の内側面に添い付け、傾斜板部２６ｂを小屋梁６の下面に沿い付けるようになっている。また、この内本体部２６には、第２及び第３の角材の内側面にネジ部材２１を介して係止するための少なくとも二個のネジ部材挿通孔２２を形成されれている。
【００３４】
この内側連結部材１１ｂの内本体部２６には、鉛直板部２６ａの両側からほぼ直角に延出し、第２の角材（隅柱２又は間柱３）の外面側から両側面に回り込む延出部２７と、この延出部２７から直角に外側に曲って、外側連結部材１１ａの第１の外側結合部２４ａ及び２４ｂとボルト挿通孔２９を介して結合し、外側連結部材１１ａと協働して第２の角材を連結部１５に固定保持する第１の内側結合部２７ａ及び２７ｂが形成されている。
【００３５】
更に内側連結部材１１ｂの内本体部２６には、傾斜板部２６ｂの両側からほぼ直角に延出し、第３の角材（小屋梁６）の下面側から両側面に回り込む延出部２８と、この延出部２８から直角に外側に曲って、外側連結部材１１ａの第２の外側結合部２５ａ及び２５ｂとボルト挿通孔２９を介して結合し、外側連結部材１１ａと協働して第３の角材を連結部１５に固定保持する第２の内側結合部２８ａ及び２８ｂが形成されている。
【００３６】
上記外側連結部材１１ａの第１の外側結合部２４ａ及び２４ｂと内側連結部材１１ｂの第１の内側結合部２７ａ及び２７ｂとの結合、又は外側連結部材１１ａの第２の外側結合部２５ａ及び２５ｂと内側連結部材１１ｂの第２の内側結合部２８ａ及び２８ｂとの結合は、図２(d) に示すようにボルトとナットによる締め付けによって行われる。
【実施例２】
【００３７】
図３(a),(b) は本発明の実施例２に係る角材用連結金具１２を示している。角材用連結金具１２は、同図(a) に示す平形連結部材１２ａと、同図(b) に示す立形連結部材１２ｂとが一対となって構成されている。
【００３８】
また同図(c) は、この角材用連結金具１２によって連結される四本の角材の組手部分となる連結部１６を示す斜視図であり、同図(d) は、角材を金属製角パイプに代替した場合の例を示す図であり、角材（又は金属製角パイプ）に対する角材用連結金具１２による連結状態を示している。尚、金属製角パイプについても比較し易いように角材と同一の番号を付与して示している。
【００３９】
以下、四本の角材については図３(c) を参照し、角材用連結金具１２の連結部１６への取付け状態については図３(d) を参照しながら、角材用連結金具１２について説明する。この角材用連結金具１２は、簡易建造物１において、軸組みにおける組手部分となる連結部１６において四本の角材を連結する角材用連結金具である。
【００４０】
四本の角材のうち第１の角材は大棟４であり、第２及び第３の角材は小屋梁６（６ａ、６ｃ又は６ｅ）と６（６ｂ、６ｄ又は６ｆ）であり、第４の角材は管柱１０（１０ａ、１０ｂ又は１０ｃ）である。尚、図３(c),(d) は、図１の手前から大棟４を見た場合を示している。
【００４１】
また、第４の角材を図１の手前側の妻側の管柱１０ｃとした場合、第１の角材の大棟４を図のように妻側に伸ばして出すと、軒出しの切妻となり、第２、第３及び第４の角材の妻側面に合わせて図のＢ−Ｂ´矢視断面で４ｘの部分を切り落とすと、軒無しの切妻となる。
【００４２】
角材用連結金具１２の平形連結部材１２ａは、第１の角材（大棟４）の側面に沿い付ける角面部３０と、この角面部３０と一体に角面部３０の一方の対向辺からそれぞれ斜め下方に曲って延在する二面の横張出部３１（３１ａ、３１ｂ）と、を有する。
【００４３】
更に、この平形連結部材１２ａにおいて、二面の横張出部３１の一方（３１ａ）は第２の角材（小屋梁６（６ａ、６ｃ又は６ｅ））の側面に沿い付け他方は第３の角材（小屋梁６（６ｂ、６ｄ、又は６ｆ））の側面に沿い付けるように形成されている。そして、第１、第２及び第３の角材の添い付け部にネジ部材を介して係止するための少なくとも三個のネジ部材挿通孔２２を有する。
【００４４】
そして、一方の横張出部３１ａには、その両側からほぼ直角に下に延出し、第２の角材（小屋梁６（６ａ、６ｃ又は６ｅ））の側面（上面）から他の二側面に回り込む延出部３２と、この延出部３２から直角に外側に曲って、立形連結部材１２ｂと協働して上記第２の角材を連結部１６に固定保持する第１の平形側結合部３２ａ及び３２ｂが形成されている。
【００４５】
また、  他方の横張出部３１ｂには、その両側からほぼ直角に下に延出し、第３の角材（小屋梁６（６ｂ、６ｄ又は６ｆ））の側面から他の二側面に回り込む延出部３３と、この延出部３３から直角に外側に曲って、立形連結部材１２ｂと協働して上記第３の角材を連結部１６に固定保持する第２の平形側結合部３３ａ及び３３ｂが形成されている。
【００４６】
他方、角材用連結金具１２の立形連結部材１２ｂは、第１の角材（大棟４）の一側面（下面）と第４の角材（管柱１０（１０ａ、１０ｂ又は１０ｃ））の端面とに挟持される角面部３４と、角面部３４と一体に角面部３４の一方の対向辺からそれぞれ斜め下方に曲って延在する二面の横張出部３５（３５ａ、３５ｂ）と、角面部３４と一体に角面部３４の他方の対向辺からそれぞれほぼ直角に曲がって延在する二面の立形張出部３６（３６ａ、３６ｂ）とを有している。
【００４７】
二面の横張出部３５の一方の横張出部３５ａは、第２の角材（小屋梁６（６ａ、６ｃ又は６ｅ））の側面（下面）に添い付け、この第２の角材の側面（下面）にネジ部材を介して係止するための少なくとも１個のネジ部材挿通孔２２を有する。
【００４８】
更にこの横張出部３５ａは、その両側からほぼ直角に延出し、第２の角材（小屋梁６（６ａ、６ｃ又は６ｅ））の側面（下面）から他の二側面に回り込む延出部３７と、この延出部３７から直角に外側に曲って、平形連結部材１２ａの第１の平形側結合部３２とボルト挿通孔２９を介して結合し、平形連結部材１２ａと協働して上記第２の角材を連結部１６に固定保持する第１の立形側結合部３７ａ及び３７ｂを有している。
【００４９】
また、二面の横張出部３５の他方の横張出部３５ｂは、第３の角材（小屋梁６（６ｂ、６ｄ又は６ｆ））の側面（下面）に添い付け、この第３の角材の側面（下面）にネジ部材を介して係止するための少なくとも１個のネジ部材挿通孔を有している。
【００５０】
更にこの横張出部３５ｂは、その両側からほぼ直角に延出し、第３の角材（小屋梁６（６ｂ、６ｄ又は６ｆ））の側面（下面）から他の二側面に回り込む延出部３８と、この延出部３８から直角に外側に曲って、平形連結部材１２ａの第２の平形側結合部３３とボルト挿通孔２９を介して結合し、平形連結部材１２ａと協働して上記第３の角材を連結部１６に固定保持する第２の立形側結合部３８ａ及び３８ｂを有している。
【００５１】
また、二面の立形張出部３６（３６ａ、３６ｂ）は、それぞれ第４の角材（管柱１０（１０ａ、１０ｂ又は１０ｃ））の端部において対向する側面に添い付け、側面にネジ部材を介して係止するための少なくとも一個のネジ部材挿通孔２２をそれぞれ有している。
【００５２】
また、この二面の立形張出部３６（３６ａ、３６ｂ）は、それぞれ、その両側からほぼ直角に延出する延出部３９を有し、一方の立形張出部３６ａの延出部３９と他方の立形張出部３６ｂの延出部３９は、それぞれ第４の角材（管柱１０（１０ａ、１０ｂ又は１０ｃ））の両側面にネジ部材を介して係止するための少なくとも一個のネジ部材挿通孔２２を有する。
【００５３】
上記平形連結部材１２ａの第１の平形側結合部３２ａ及び３２ｂと立形連結部材１２ｂの第１の立形側結合部３７ａ及び３７ｂとの結合と、平形連結部材１２ａの第２の平形側結合部３３ａ及び３３ｂと立形連結部材１２ｂの第２の立形側結合部３８ａ及び３８ｂとの結合は、図３(d) に示すようにボルトとナットによる締め付けによって行われる。
【実施例３】
【００５４】
図４(a),(b) は本発明の実施例３に係る角材用連結金具１３を示している。角材用連結金具１３は、同図(a) に示す外側連結部材１３ａと、同図(b) に示す内側連結部材１３ｂとが一対となって構成されている。
【００５５】
また同図(c) は、この角材用連結金具１３によって連結される三本の角材の組手部分となる連結部１７を示す斜視図である。同図(d) は、角材を金属製角パイプに代替した場合の例を示す図であり、角材（又は金属製角パイプ）に対する角材用連結金具１３による連結状態を示している。尚、金属製角パイプについても比較し易いように角材と同一の番号を付与して示している。
【００５６】
以下、三本の角材については図４(c) を参照し、角材用連結金具１３の連結部１７への取付け状態については図４(d) を参照しながら、角材用連結金具１３について説明する。この角材用連結金具１３は、簡易建造物１において、軸組みにおける組手部分となる連結部１７において三本の角材を連結する角材用連結金具である。
【００５７】
同図(c) を丸ｚで囲んで示す座標方向で見るときは、三本の角材のうちｚ方向に配置される第１の角材、ｘ方向に配置される第２の角材及びｙ方向に配置される第３の角材は、それぞれ、「隅柱２ａ、胴差し梁７ａ−１及び胴差し桁７ｂ−１」又は「隅柱２ｂ、胴差し桁７ｂ−２及び胴差し梁７ａ−１」又は「隅柱２ｃ、胴差し桁７ｂ−１及び胴差し梁７ａ−２」又は「隅柱２ｄ、胴差し梁７ａ−２及び胴差し桁７ｂ−２」である。
【００５８】
また同図(c) を丸ｘで囲んで示す座標方向で見るときは、三本の角材のうちｘ方向に配置される第１の角材は胴差し梁７ａ−１又は７ａ−２であり、ｙ方向に配置される第２の角材は桁９ａ又は９ｂであり、ｚ方向に配置される第３の角材は管柱１０ａ又は１０ｃである。
【００５９】
本例における角材用連結金具１３は、図４(a) に示す外側連結部材１３ａが、図２(a),(b) に示した角材用連結金具１１の外側連結部材１１ａにおいて、水平板部２３ｂに続く外傾斜板部２３ｃを、斜め上方に曲げすに水平に延ばした形状となっている。
【００６０】
また、図４(b) に示す内側連結部材１３ｂも、図２(a),(b) に示した角材用連結金具１１の内側連結部材１１ｂにおいて谷折りの２面からなる鉛直板部２６ａと傾斜板部２６ｂを、図４(b) では直角に谷折りの２面からなる鉛直板部と水平板部にした形状となっている。
【００６１】
つまり、本例の角材用連結金具１３は、図４(c) に示す連結部１７に連結する角材とその連結の傾きが、図２(c) の場合と異なるだけで、機能及び作用は図２(a),(b) の角材用連結金具１１の場合と同様である。
【実施例４】
【００６２】
図５(a),(b) は本発明の実施例４に係る角材用連結金具１４を示している。角材用連結金具１４は、同図(a) に示す外側連結部材１４ａと、同図(b) に示す内側連結部材１４ｂとが一対となって構成されている。
【００６３】
また同図(c) は、この角材用連結金具１４によって連結される四本の角材の組手部分となる連結部１８を示す斜視図である。同図(d) は、角材を金属製角パイプに代替した場合の例を示す図であり、角材（又は金属製角パイプ）に対する角材用連結金具１４による連結状態を示している。尚、金属製角パイプについても比較し易いように角材と同一の番号を付与して示している。
【００６４】
以下、四本の角材については図５(c) を参照し、角材用連結金具１４の連結部１８への取付け状態については図５(d) を参照しながら、角材用連結金具１４について説明する。この角材用連結金具１４は、簡易建造物１において、軸組みにおける組手部分となる連結部１８において四本の角材を連結する角材用連結金具である。
【００６５】
同図(c) を丸ｚで囲んで示す座標方向で見るときは、四本の角材のうちｚ方向に配置される第１の角材は間柱３ａ又は３ｂであり、ｙ方向に配置される第２及び第３の角材は胴差し桁７ｂ−１と７ｂ−３又は胴差し桁７ｂ−４又は７ｂ−２であり、ｘ方向に配置される第４の角材は差し渡し一本梁８である。
【００６６】
また、同図(c) を丸ｘで囲んで示す座標方向で見るときは、四本の角材のうちｘ方向に配置される第１の角材は差し渡し一本梁８であり、ｙ方向に配置される第２及び第３の角材は桁９ａと９ｂであり、ｚ方向に配置される第４の角材は管柱１０ｂである。
【００６７】
本例における角材用連結金具１４は、図５(a) に示す立形連結部材１４ａが、図３(a),(b) に示した角材用連結金具１２の図３(b) に示した立形連結部材１２ｂにおいて、角面部３４に続く横張出部３５（３５ａ、３５ｂ）を、斜め下方（図５(a) では斜め上方となる）に曲げすに水平に延ばした形状となっている。
【００６８】
また、図５(b) に示す平形連結部材１４ｂも、図３(a),(b) に示した角材用連結金具１２の図３(a) に示した平形連結部材１２ａにおいて、角面部３０と、この角面部３０と一体に角面部３０の一方の対向辺からそれぞれ斜め下方に曲って延在する二面の横張出部３１（３１ａ、３１ｂ）が、図５(b) では二面の横張出部を曲げることなく全て端から端まで水平板部にした形状となっている。
【００６９】
つまり、本例の角材用連結金具１４は、図５(c) に示す連結部１８に連結する角材とその連結の傾きが、図３(c) の場合と異なるだけで、機能及び作用は図３(a),(b) の角材用連結金具１２の場合と同様である。
【実施例５】
【００７０】
図６は、実施例５に係る角材用連結金具と上述した実施例１に係る角材用連結金具とを用いて構築可能な簡易建造物の例を示す斜視図である。図６に示す簡易建造物４０は、片流れの屋根構造を有する軸組みである。
【００７１】
先ず比較的長い二本の隅柱４１（４１ａ、４１ｂ）と、これらよりも短い二本の隅柱４２（４２ａ、４２ｂ）が設けられている。長い二本の隅柱４１ａと４１ｂの頂上間には平入りとなる平側の桁４３が張り渡されている。そして、短い二本の隅柱４２ａと４２ｂの頂上間には後の平となる平側の桁４４が張り渡されている。
【００７２】
また、長い二本の隅柱４１と、短い二本の隅柱４２との頂上間には、それぞれ小屋梁４５（４５ａ、４５ｂ）が張り渡されている。この建造物は、屋根と妻と後の平に帆布等の幕材を張り渡して、例えば、運動会等の催しものを監督する校長やＰＴＡ役員等が控える場所として提供される。
【００７３】
もちろん、屋根と妻と後の平に加えて平入りとなる前の平にも幕材、例えばビニール製の幕を張り巡らして、ビニールハウスとして用いることもできる。また、太陽光発電システムの架台として使用することもできる。
【００７４】
上記の軸組において、破線丸ｅ（ｅ１、ｅ２）で示す組手部分の三本の角材（隅柱４１ａ又は４１ｂ、前平の桁４３、小屋梁４５ａ又は４５ｂ）の連結には後述する角材用連結金具４６が使用される。そして、破線丸ｆ（ｆ１、ｆ２）で示す組手部分の三本の角材（隅柱４２ａ又は４２ｂ、後平の桁４４、小屋梁４５ａ又は４５ｂ）の連結には前述した角材用連結金具１１が使用される。
【００７５】
図７(a),(b) は、本発明の実施例５に係る角材用連結金具４６を示している。角材用連結金具４６は、同図(a) に示す外側連結部材４６ａと、同図(b) に示す内側連結部材４６ｂとが一対となって構成されている。
【００７６】
また、図７(c) は、図６に示した破線丸ｅ１で示す組手部分となる連結部４７を示す斜視図であり、図７(d) は、図６に示した破線丸ｅ２で示す組手部分となる連結部４８を示す斜視図である。 
【００７７】
また、図７(e) は、角材を金属製角パイプに代替した場合の例を示す図であり、角材（又は金属製角パイプ）に対する角材用連結金具４６による連結状態を示している。尚、金属製角パイプについても比較し易いように角材と同一の番号を付与して示している。
【００７８】
以下、三本の角材については図７(c),(d) を参照し、角材用連結金具４６の連結部４７及び４８への取付け状態については図７(e) を参照しながら、角材用連結金具４６について説明する。
【００７９】
本例における角材用連結金具４６は、図７(a) に示す外側連結部材４６ａが、図２(a),(b) に示した角材用連結金具１１の外側連結部材１１ａにおいて、水平板部２３ｂに続く外傾斜板部２３ｃを、斜め上方に曲げすに斜め下方に曲げた内傾斜板部の形状となっている。
【００８０】
また、図７(b) に示す内側連結部材４６ｂも、図２(a),(b) に示した角材用連結金具１１の内側連結部材１１ｂにおいて谷折りの２面からなる鉛直板部２６ａと傾斜板部２６ｂの傾斜板部２６ｂが、図７(b) では谷折りから斜め上に傾斜するのではなく斜め下に傾斜する形状となっている。
【００８１】
つまり、本例の角材用連結金具４６は、図７(c),(d) に示す連結部４７及び４８に連結する角材とその連結の傾きが、図２(c) の場合と異なるだけで、機能及び作用は図２(a),(b) の角材用連結金具１１の場合と同様である。
【００８２】
図６に示した破線丸ｆ１及びｆ２で示した組手部分となる連結部の角材（隅柱４２ａ又は４２ｂ、後平の桁４４、小屋梁４５ａ又は４５ｂ）を連結する角材用連結金具１１については既に説明したので、ここでの説明は省略する。
【実施例６】
【００８３】
尚、上述した実施例１〜５において、延出部２４、２５、２７、２８、３２、３３、３７及び３８から直角に外に曲った形状でボルト挿通孔２９を有する結合部は、端部を更に折り曲げた形状にして結合部の変形を防止し、その強度を高めるようにしてもよい。
【００８４】
図８は、実施例６に係る角材用連結金具の延出部と結合部の部分のみを取り出して示す斜視図である。同図に示すように、実施例１〜５において示した延出部２４、２５、２７、２８、３２、３３、３７又は３８から直角に外に曲った形状でボルト挿通孔２９を有する結合部２４ａ、２４ｂ、・・・、３８ａ、３８ｂの端部には、延出部に対する結合部の折り部を谷折りとすれば山折りとなる曲げ方向に折り曲げた形状の折り曲げ部４６が形成されている。
【００８５】
これにより、対向する結合部２４ａ、２４ｂ、・・・、３８ａ、３８ｂを、ボルト挿通孔２９を介してボルト・ナットにより相互に締め付けた際に、対向するいずれか一方の折り曲げ部４６が他方の折り曲げ部４６に重なってその内側に入り込み、曲げ部４６部の高さの分だけ結合部の外端を締め付けに抗して押圧するので、ボルト・ナットによる締め付け部が締め付け方向に凹んでバネ製の付勢力が締め付け方向に発生する。これにより、実施例１〜５において、結合部の弛みを防止することができ、より信頼性の高い軸組みを構築することができるようになる。
【００８６】
以上述べた本発明の各実施例によれば、簡易建造物の軸組みにおいて、少ない金具で角材（木材）又は角パイプ（金属）の組立が容易な角材用連結金具を提供することが可能となる。
【００８７】
また、建造物施行時に、角材に対するカスガイやボルト締付け加工、金属製角パイプに対する溶接工法等の高度な技術が必要なく、熟練者でなくても軸組みの加工・組立が容易にできるので作業の能率が向上する。
【００８８】
また、連結金具を用いる工法でありながら、組手部における部材のいずれも、その荷重が柱の軸心に掛かるよう構成されているので、強度の強い構造物の施行が容易でとなる。
【００８９】
また、金属の骨組みに限らず角材の骨組みにも容易に適用できるので、金属の骨組みを傷め易いアンモンニヤ分の多い家畜小屋、肥料置場の構築に金属の骨組みを避け角材の骨組みを用いることで持続性のある良質な家畜小屋、あるいは肥料置場等の構築が可能となる。
【００９０】
また、例えば葡萄のような蔓科の植物を生産するビニールハウス等のように金属の骨組みを避けた方がよいような構築物にも角材の骨組みで容易に対応できるので便利である。また、骨材を角材で説明しているが、ネジ部材挿通孔２２とネジ部材を用いれば、例えば丸太、金属製丸パイプのような丸棒材にもそのまま適用できることは言うまでも無い。
【産業上の利用可能性】
【００９１】
本発明は、ビニールハウス、車庫、物置場、コンテナハウス、研究用ハウス、野外ステージ、太陽光発電システムの架台、災害時の架設住宅等の簡易建造物の構築に利用することができる。
【符号の説明】
【００９２】
１  簡易建造物
２（２ａ、２ｂ、２ｃ、２ｄ）  隅柱
３（３ａ、３ｂ）  間柱
４  大棟
５（５ａ、５ｂ）  軒桁
６（６ａ、６ｂ、６ｃ、６ｄ、６ｅ、６ｆ）  小屋梁
７  胴差し
７ａ（７ａ−１、７ａ−２）  胴差し梁
７ｂ（７ｂ−１、７ｂ−２、７ｂ−３、７ｂ−４）  胴差し桁
８  差し渡し一本梁
９（９ａ、９ｂ）  桁
１０（１０ａ、１０ｂ、１０ｃ）  管柱
１１  角材用連結金具
１１ａ  外側連結部材
１１ｂ  内側連結部材
１２  角材用連結金具
１２ａ  平形連結部材
１２ｂ  立形連結部材
１３  角材用連結金具
１３ａ  
１３ｂ  
１４  角材用連結金具
１４ａ  
１４ｂ  
１５、１６、１７、１８  連結部
２１  ネジ部材
２２  ネジ部材挿通孔
２３  外本体部
２３ａ  鉛直部
２３ｂ  水平部
２３ｃ  外傾斜部
２４  第１の外側結合部
２５  第２の外側結合部
２６  内本体部
２６ａ  鉛直板部
２６ｂ  傾斜板部
２７  第１の内側結合部
２８  第２の内側結合部
２９  ボルト挿通孔
３０  角面部
３１（３１ａ、３１ｂ）  横張出部
３２  第１の平形側結合部
３３  第２の平形側結合部
３４  角面部
３５（３５ａ、３５ｂ）  横張出部
３６（３６ａ、３６ｂ）  立形張出部
３７  第１の立形側結合部
３８  第２の立形側結合部
３９  延出部
４０  簡易建造物
４１（４１ａ、４１ｂ）  長い隅柱
４２（４２ａ、４２ｂ）  短い隅柱
４３  平入り側の桁
４４  後の平側の桁
４５（４５ａ、４５ｂ）  小屋梁
４６  折り曲げ部
【図１】
0005395573.tif 000002
【図２】
0005395573.tif 000003
【図３】
0005395573.tif 000004
【図４】
0005395573.tif 000005
【図５】
0005395573.tif 000006
【図６】
0005395573.tif 000007
【図７】
0005395573.tif 000008
【図８】
0005395573.tif 000009